(57)【特許請求の範囲】
【請求項１】
放射線画像が蓄積された媒体を内部に有したカセッテがセットされるカセッテスタッカ部と、
前記媒体の放射線画像を読み取る画像読取部と、
前記カセッテスタッカ部にセットされたカセッテから、前記媒体を取出し、前記画像読取部へ搬送し、読取りが終わった媒体を前記カセッテスタッカ部へ返送する媒体搬送部と、
前記画像読取部で読み取られた画像を表示する表示部とを備えた放射線画像記録読取装置であって、
前記媒体搬送部は、装置の正面から見て、前記カセッテスタッカ部の下方に設けられ、前記カセッテスタッカ部にセットされた一つのカセッテから、下方に前記媒体を取り出し、
前記画像読取部は、装置の正面から見て、前記カセッテスタッカ部の斜め下方に設けられ、
前記表示部は、装置の正面から見て、前記画像読取部の上方で、前記カセッテスタッカ部と略水平方向に並設されたことを特徴とする放射線画像記録読取装置。
【請求項２】
前記表示部の表示画面にタッチパネルを設けたことを特徴とする請求項１記載の放射線画像記録読取装置。
【請求項３】
前記タッチパネルは、光の遮断で反応する光方式であることを特徴とする請求項２記載の放射線画像記録読取装置。
【請求項４】
前記カセッテスタッカ部にセットされるカセッテは、装置の手前側を基準としてセットされることを特徴とする請求項１乃至３のいずれかに記載の記載の放射線画像記録読取装置。
【発明の詳細な説明】
【０００１】
【発明の属する技術分野】
本発明は、媒体に蓄積された放射線画像を読み取る放射線画像記録読取装置に関する。
【０００２】
【従来の技術】
次に、図面を用いて従来の放射線画像記録読取装置を説明する。
(1) 全体構成
従来の放射線画像記録読取装置の正面構成図である図２０と、図２０における右側面構成図である図２１とを用いて、全体構成を説明する。
【０００３】
これらの図において、１００１は上下方向に３段の棚１０１２,１０１３,１０１４が形成され、各棚１０１２,１０１３,１０１４には、放射線画像が蓄積された媒体を内部に有したカセッテ１００２,１００３,１００４がセットされるカセッテスタッカ部である。
【０００４】
尚、このカセッテスタッカ部１００１には、図に示すように、大きさの異なるカセッテ１００２,１００３,１００４がセット可能となっている。
カセッテスタッカ部１００１の下部には、カセッテ１００２,１００３,１００４内の媒体の放射線画像を読み取る画像読取部１００５が設けられている。更に、カセッテスタッカ部１００１と画像読取部１００５との間には、セットされたカセッテ１００２,１００３,１００４のうち、いずれかのカセッテより媒体を取出し、画像読取部１００５へ搬送し、読取りが終わった媒体をカセッテへ搬送する媒体搬送部１００６が設けられている。
【０００５】
又、カセッテスタッカ部１００１の上方には、この装置に対するON/OFF、カセッテの選択、各種画像処理等を行なうための操作部１００７と、画像読取部１００５で読み取られた放射線画像や装置の状態を表示する表示部１００８とが配設されている。
【０００６】
(2) カセッテスタッカ部
図２０におけるカセッテスタッカ部を上方より見た時の構成図である図２２に示すように、カセッテスタッカ部１００１の各棚１０１２,１０１３,１０１４にセットされるカセッテ１００２,１００３,１００４は、棚１０１２,１０１３,１０１４の奥側の面A、及び、棚１０１２,１０１３,１０１４の右側の側面Bに当接するようにセットされる。
【０００７】
又、カセッテスタッカ部１００１の正面中央部には、立溝１０１０が形成され、小サイズのカセッテ、本従来例では、カセッテ１００３,１００４の取出しを容易としている。
【０００８】
【発明が解決しようとする課題】
しかし、上記構成の放射線画像記録読取装置においては、以下のような問題点がある。
【０００９】
(1) カセッテスタッカ部１００１の上方に、操作部１００７と表示部１００８とが設けられているので、カセッテスタッカ部１００１へカセッテ１００２,１００３,１００４をセットした後、視線を上方に移して、操作部１００７の操作を行なったり、表示部１００８の画像を確認しなければならず、操作性が悪い。
【００１０】
(2) カセッテ１００２,１００３,１００４は、装置の奥側を基準、即ち、棚１０１２,１０１３,１０１４の奥側の面Aに当接するようにセットするようになっている。
【００１１】
従って、図２１に示すように、大きなカセッテ１００２,１００４がセットされた棚１０１２,１０１４の間の棚１０１３に小サイズのカセッテ１００３をセットしたり、棚１０１３にセットされた小サイズのカセッテ１００３を取り外したりする際の操作性が悪い。
【００１２】
本発明は、上記問題点に鑑みてなされたもので、その目的は、操作性の良い放射線画像記録読取装置を提供することにある。
【００１３】
上記課題を解決する請求項１記載の発明は、放射線画像が蓄積された媒体を内部に有したカセッテがセットされるカセッテスタッカ部と、前記媒体の放射線画像を読み取る画像読取部と、前記カセッテスタッカ部にセットされたカセッテから、前記媒体を取出し、前記画像読取部へ搬送し、読取りが終わった媒体を前記カセッテスタッカ部へ返送する媒体搬送部と、前記画像読取部で読み取られた画像を表示する表示部とを備えた放射線画像記録読取装置であって、前記媒体搬送部は、装置の正面から見て、前記カセッテスタッカ部の下方に設けられ、前記カセッテスタッカ部にセットされた一つのカセッテから、下方に前記媒体を取り出し、前記画像読取部は、装置の正面から見て、前記カセッテスタッカ部の斜め下方に設けられ、前記表示部は、装置の正面から見て、前記画像読取部の上方で、前記カセッテスタッカ部と略水平方向に並設されたことを特徴とする放射線画像記録読取装置である。
【００１４】
表示部と、カセッテスタッカ部とを略水平方向に並設したことにより、カセッテスタッカ部へカセッテをセットした後、表示部で画像を確認する場合、視線の移動量が少なくて済むので、操作性が良い。
【００１５】
請求項２記載の発明は、請求項１記載の発明の前記表示部の表示画面にタッチパネルを設けたことを特徴とする放射線画像記録読取装置である。
表示部の表示画面にタッチパネルを設けたことにより、装置の操作を表示画面上で行なうことができるので、カセッテスタッカ部へカセッテをセットした後、装置の操作を行なう場合、視線の移動量が少なくて済み、操作性が良好である。
【００１６】
請求項３記載の発明は、請求項２記載の発明の前記タッチパネルは、光の遮断で反応する光方式であることを特徴とする放射線画像記録読取装置である。
表示画面上に膜を設置する必要がある抵抗膜方式、アナログ容量結合方式等に比べ、表示画面上に膜が不要となるので、表示画面の透過性が優れる。
【００１７】
請求項４記載の発明は、請求項１乃至３のいずれかに記載の発明の前記カセッテスタッカ部にセットされるカセッテは、装置の手前側を基準としてセットされることを特徴とする請求項１記載の放射線画像記録読取装置。
【００１８】
カセッテを装置の手前側を基準としてセットすることにより、小サイズのカセッテのセット、及び、取出しが容易となり、操作性が良い。
【００１９】
【発明の実施の形態】
次に図面を用いて本発明の実施の一形態の形態例としての放射線画像記録読取装置を説明する。
【００２０】
1. 放射線画像記録読取装置の概略構成
本実施の形態例の放射線画像記録読取装置の概略構成を説明する。
図５は放射線画像記録読取装置の概略構成を示す図である。
【００２１】
放射線画像記録読取装置１の装置本体２には、カセッテスタッカ部３、プレート搬送部４、画像読取部５、システム制御部６、表示・操作部７及び電源部８が備えられている。
【００２２】
カセッテスタッカ部３には、複数種類の媒体としての放射線画像変換プレートを収納したカセッテ９がセット可能になっており、カセッテスタッカ部３に放射線画像変換プレートを収納したカセッテ９を投入する。表示・操作部７から所定の操作を行うと、プレート搬送部４によりカセッテ９から放射線画像変換プレート１２が引き出される。
【００２３】
引き出された放射線画像変換プレート１２は、プレート搬送部４により画像読取部方向へ搬送される。この画像読取部５では、放射線画像変換プレート１２を固着し、レーザ走査による読取が開始される。画像読取部５での読取を終了した放射線画像変換プレート１２は同じ経路をたどり元のカセッテ９に収納される。放射線画像変換プレート１２の画像の消去動作は、消去部１３によりカセッテ９への収納時に行われる。即ち、放射線画像変換プレート１２の画像の消去しながらカセッテスタッカ部３のカセッテ９に収納する。
【００２４】
次に、この放射線画像記録読取装置１の制御の概略を説明する。
図６は放射線画像記録読取装置の制御ブロック図である。
放射線画像記録読取装置１の装置本体２に備えられるカセッテスタッカ部３には、カセッテスタッカ部機構・駆動部３０及びカセッテスタッカ部制御部３１が備えられ、複数種類の放射線画像変換プレートを収納したカセッテ９がセット可能になっている。カセッテスタッカ部制御部３１の制御に基づきカセッテスタッカ部機構・駆動部３０を駆動して、放射線画像変換プレートを収納したカセッテ９が投入されると、所定の状態にセットする。
【００２５】
プレート搬送部４には、プレート搬送部機構・駆動部４０及びプレート搬送部制御部４１が備えられ、カセッテスタッカ部制御部３１からの指令に基づきプレート搬送部制御部４１は、プレート搬送部機構・駆動部４０を制御する。プレート搬送部機構・駆動部４０は、カセッテ９から放射線画像変換プレート１２を引き出し、この引き出された放射線画像変換プレート１２を画像読取部方向へ搬送する。
【００２６】
画像読取部５には、副走査部機構・駆動部５０及び主走査部５１が備えられ、副走査部機構・駆動部５０により主走査部５１が副走査方向へ搬送され、主走査部５１のレーザ走査による画像読取が行われる。
【００２７】
システム制御部６には、メインCPU６０及び読取部制御画像入力制御部６１が備えられている。メインCPU６０には、システムプログラムを記憶したシステム用ディスク６２、画像情報を記憶する画像ディスク６３，６４が接続され、またボード６５を介してホストコンピュータ６６、診断装置６７及び患者登録ターミナル６８に接続される。メインCPU６０では、全体制御、画像処理、出力制御及び画像管理を行う。読取部制御画像入力制御部６１は、カセッテスタッカ部制御部３１、副走査部機構・駆動部５０及び主走査部５１を制御して放射線画像変換プレート１２の画像読取を行い、この画像情報をメインCPU６０に送る。
【００２８】
表示・操作部７には、画像読取部５で読み取られた画像を表示する表示部としてのCRT７０と、CRT７０の表示画面上に設けられた操作部としてのタッチパネル７１とが備えられ、タッチパネル７１からの指令情報がメインCPU６０に送られ、メインCPU６０では入力指令に基づく制御が行われる。
【００２９】
次に、この放射線画像記録読取装置の外観形状を説明する。図１は放射線画像記録読取装置の斜視図でカセッテがセットされていない状態を示す図、図２はカセッテがセットされた状態の放射線画像記録読取装置の正面図、図３は図２における左側面図、図４は図２における放射線画像記録読取装置の右側面図である。
【００３０】
カセッテスタッカ部３と、表示・操作部７とは放射線画像記録読取装置の上部で、略水平方向に並設されている。即ち、カセッテスタッカ部３は放射線画像記録読取装置１の上部右側に配置され、表示・操作部７は放射線画像記録読取装置の上部左側に配置されている。
【００３１】
カセッテスタッカ部３は、５個のスロット毎に設けられた投入部３００を有している。
表示・操作部７には、表示部としてのCRT７０と、CRT７０の表示面上に設けられた操作部としてのタッチパネル７１とが備えられ、CRT７０上に検査予約、患者登録等の操作及び装置各部の状態表示・設定、及び読み取られた画像の表示を行う。
【００３２】
CRT７０は、例えば15インチCRT(24ビットカラー、モノクロ256階調・解像度1024×768)が用いられ、操作入力は、CRT７０上のタッチパネル７１により行なうようになっている。
【００３３】
本実施の形態例のタッチパネル７１は、光、例えば、赤外線の遮断で反応する光方式とした。
投入部３００は、投入ガイド部３０１及び収納部３０２から構成されている。投入ガイド部３０１は溝状で収納部３０２に向かって延び、カセッテ９を収納部３０２に垂直状態で導くように形成されている。収納部３０２には、カセッテ９が所定の隙間を持って収納保持される。
【００３４】
カセッテ９は、カセッテ長辺方向を水平にした状態で、装置の手前側を基準とする縦投入であり、カセッテ９の投入と同時にスロット毎に収納部３０２の開口に設けられた遮光シャッタ３０３が閉じ、開口部から漏れ光を防ぐ。
【００３５】
各スロット毎にカセッテ９の抜き取りが可能であり、誤ってカセッテ９が抜き取られることがないように読取中を示すＬＥＤランプ３０４を装備する
2. カセッテ
以下、放射線画像記録読取装置１で使用されるカセッテ９について詳細に説明する。
【００３６】
放射線画像変換プレートを収納したカセッテは、図７乃至図１４に示すように構成され、図７はカセッテに放射線画像変換プレートを収納した状態を示す斜視図、図８はカセッテから放射線画像変換プレートを引き出した状態を示す斜視図、図９はカセッテの平面図、図１０はカセッテに放射線画像変換プレートを収納した状態を示す平面図、図１１はカセッテの側面図、図１２は図９の切断線C-Cにおける断面図、図１３は図９の切断線D-Dにおける断面図、図１４は図９の切断線E-Eにおける断面図である。
【００３７】
カセッテ９は、ケース半体９００，９０１を合わせて周囲をビス９０２により締め付けて一体化している。カセッテ９の一辺部には開口９０３が形成され、この開口９０３から放射線画像変換プレート１２を引き出し可能になっている。
【００３８】
放射線画像変換プレート１２は、輝尽性蛍光体層を有し、輝尽性蛍光体層は、放射線発生源からの照射放射線量に対する被写体の放射線透過率分布にしたがったエネルギーを蓄積して潜像を形成する。放射線画像変換プレート１２は気相堆積或いは塗布によって輝尽性蛍光体層を設けてある。輝尽性蛍光体層は環境による悪影響及び損傷を遮断するために保護部材によって遮蔽若しくは被覆されている。放射線画像変換プレートの材料としては、
例えば、MIX・aMIIX′2・bMIIIX″3 :  cA
で表されるアルカリハイド蛍光体
(ただし、MIはLi,Na,K,Rb及びCsの少なくとも１種類のアルカリ金属を表し、MIIはBe,Mg,Ca,Sr,Ba,Zn,Cd,Cu,Niの少なくとも１種の２価の金属を表し、MIIIは、Sc,Y,La,Ce,Pr,Nd,Pm,Sm,Eu,Gd,Tb,Dy,Ho,Er,Tm,Yb,Lu,Al,Ga,Inの少なくとも１種類の３価の金属を表し、X,X′,X″は、F,Cl,Br,Iの少なくとも１種のハロゲンを表し、X,X′,X″は、Eu,Tb,Ce,Tm,Dy,Pr,Ho,Nd,Yb,Er,Gd,Lu,Sm,Y,Tl,Na,Ag,Cu,Mgの少なくとも１種類の金属を表し、a,b,cは、0≦a<0.5、0≦b<0.5、0<c≦0.2を満たす数を表す。)
また、他に例えば、
(Ba1-x-y Mgx Cay)FX:eEu2+
(但し、XはBr及びClの中の少なくとも１つであり、x,y及びeはそれぞれ0<x+y<0.6,xy≠0,10-6≦e≦5×10-2なる条件を満たす数である。)で表されるアルカリ土類弗化ハロゲン化物蛍光体、
または例えば、
BaFX:xCe,yA
(但し、XはClBr、及びIの中の少なくとも１つであり、Aはln,Tl,Gd,Sm及びZnの内の少なくとも一つであり、x及びyはそれぞれ ０<x≦2×10-1 及び 0<y<5×10-2 である。)で示される蛍光体BaBr:Eu2+で示される蛍光等が使われる。
【００３９】
放射線画像変換プレート１２はカセッテ９内部のリジッドなトレイ９０４に固定され、画像が記録される領域以外の部分に対応して一対の係止ピン９０５がトレイ９０４に設けられ、この一対の係止ピン９０５は放射線画像変換プレート１２のトレイ９０４に貫通している。一対の係止ピン９０５には、ガイドプレート９０６の案内孔９０６ａが摺動可能に設けられ、ガイドプレート９０６に開口を覆うキャップ９０７が取り付けられている。
【００４０】
キャップ９０７にはロック機構９０８が内蔵され、ロック孔９０９からロック機構９０８のロック解除が可能になっている。また、キャップ９０７には、一対のレバー９１０が設けられ、この一対のレバー９１０によりキャップ９０７を開閉してカセッテ９からトレイ９０４ごと放射線画像変換プレート１２が引き出され、あるいは収納される。
【００４１】
カセッテ９の種類とサイズの一例を表１に示す。
【００４２】
【表１】
0003843559.tif 000002
【００４３】
カセッテ９には、識別シール９１１が貼り付けられており、識別シール９１１には白と黒とによる識別情報が記録され、この識別シール９１１の識別情報の検出によりカセッテ９の種類とサイズの検出と、カセッテスタッカ部３への誤投入の検出を行う。
【００４４】
又、この識別シール９１１により、カセッテ９の投入方向、表裏の判別を行う。
また、カセッテ９の上下グリッド方向の指示は、上下方向の指示マーク９１２によるが、キャップ９０７を下側にしてカセッテ９をカセッテスタッカ部３へ投入することで上下方向を指定するようにしてもよい。
【００４５】
また、カセッテ９には、ケース半体９００に診療録クリップ９１３が設けられ、この診療録クリップ９１３の周囲にはケース半体９００に凹部９００ａが形成され、この凹部９００ａと診療録クリップ９１３とで診療録等が保持される。
【００４６】
3. プレート搬送部
図１５はプレート搬送部の構成を示す正面図、図１６は図１５におけるカセッテクリンチの側面図、図１７はカセッテクリンチの平面図である。
【００４７】
プレート搬送部４は、放射線画像記録読取装置１の装置本体２であって、カセッテスタッカ部３の下方位置に配置され、副走査部５０とカセッテスタッカ部３のカセッテ位置間の放射線画像変換プレート１２の搬送を行う。
【００４８】
プレート搬送部４に備えられるレート搬送部機構・駆動部４０は、図２、図１５乃至図１７に示すように構成される。
即ち、プレート搬送部機構・駆動部４０には、支持フレーム４００が上下に配置されたガイドレール４０１，４０２に支持されている。このガイドレール４０１，４０２は、カセッテスタッカ部３に収納されたカセッテ９に対して直交する方向に配置されている。支持フレーム４００の下端部は、下方に配置された搬送ベルト４０３に固定され、この搬送ベルト４０３は搬送モータ４０４により駆動され、これにより支持フレーム４００がガイドレール４０１，４０２に沿って移動する。
【００４９】
支持フレーム４００の上部には、消去部１３が取り付けられている。消去部１３の消去光源は、例えば300Wハロゲンランプ２本(駆動電圧90V)が用いられ、消去時の放射線画像変換プレート１２の移動速度は、10.5mm/secであるが、放射線画像変換プレート１２の画像記録に応じて可変可能である。ハロゲンランプは消去光源であり、点灯して消去光を放射線画像変換プレート１２に照射して残像の消去を行う。この残像の消去とは、放射線画像変換プレート１２を消去光によって照射することで、レーザビームによる走査と読み取り後の放射線画像変換プレート１２における残留放射線工ネルギーを放出させることである。
支持フレーム４００には、上下方向にガイド軸４１０が設けられ、このガイド軸４１０にはカセッテクリンチ４１１が上下方向へ移動可能に取り付けられている。カセッテクリンチ４１１は、上下方向に配置された搬送ベルト４０５に取り付けられ、この搬送ベルト４０５は支持フレーム４００の下方位置に配置した搬送モータ４０６により駆動され、これによりカセッテクリンチ４１１がガイド軸４１０に沿って上下動する。また、支持フレーム４００には、放射線画像変換プレート１２の倒れ防止を行う保持ローラ４０７が設けられ、放射線画像変換プレート１２の画像記録領域外の端部を保持する。
【００５０】
カセッテクリンチ４１１には、図１６に示すように支持体４１２の内部に一対のアーム４１３が支持ピン４１４を支点に回動可能に設けられている。一対のアーム４１３の先端に設けられた爪部４１３ａは、カセッテ９のキャップ９０７に設けられた一対のレバー９１０に係合可能になっており、一対のアーム４１３はそれぞれスプリング４１７により基部４１３ｂが常にカム４１５のピン４１５ａに当接するように付勢されている。
【００５１】
カム４１５は駆動モータ４１６により回転する。このカム４１５の回転によりピン４１５ａが基部４１３ｂを押動し一対のアーム４１３が開閉する。
駆動モータ４１６の回転軸４２０には、回転円盤４２１が設けられ、回転円盤４２１に形成した切欠き４２１ａがフォトカプラ４２２を横切るタイミングで駆動モータ４１６の回転角を検出して一対のアーム４１３の動作を制御する。
【００５２】
また、カセッテクリンチ４１１の支持体４１２には、キャップ９０７のロック機構９０８のロックを解除する一対のロック解除ロッド４３０が設けられている。この一対のロック解除ロッド４３０は、支持体４１２にプレート４３１により摺動可能に支持され、一方のロック解除ロッド４３０にソレノイド４３２が連結され、このロック解除ロッド４３０は連結レバー４３３により他方のロック解除ロッド４３０と連結されて連動して作動する。
【００５３】
一対のロック解除ロッド４３０は、スプリング４３４により常に初期位置に付勢されており、カセッテクリンチ４１１が上方に移動した位置で支持体４１２をカセッテ９のキャップ９０７に当てがい、ソレノイド４３２を作動させると一対のロック解除ロッド４３０が突出してキャップ９０７のロック孔９０９に入りロック機構９０８のロックを解除する。
【００５４】
このロック機構９０８のロック解除により一対のアーム４１３が閉じて爪部４１３ａがキャップ９０７の一対のレバー９１０に係合し、この状態でカセッテクリンチ４１１を下方へ移動させてカセッテ９から放射線画像変換プレート１２を引き出し、カセッテクリンチ４１１に引き出された放射線画像変換プレート１２を保持したまま支持フレーム４００を移動して副走査部５０へ搬送する。
【００５５】
放射線画像変換プレート１２の画像読取が終了すると、反対方向へ支持フレーム４００を移動して所定位置に戻り、カセッテクリンチ４１１を上方へ移動させて放射線画像変換プレート１２をカセッテ９に収納させる。このときは、一対のロック解除ロッド４３０は作動させないで、カセッテ９に放射線画像変換プレート１２を収納してキャップ９０７を閉じると自動的にロック機構９０８がキャップ９０７をロックする。
【００５６】
4. 画像読取部
図１８は副走査部の側面図、図１９は画像読取部の光学系を示す図である。
(1)副走査部機構・駆動部
画像読取部５は、放射線画像記録読取装置１の装置本体２に内蔵され、表示・操作部７の下方位置に配置されている。画像読取部５に備えられる副走査部機構・駆動部５０が、主走査部５１を副走査方向へ搬送する。
【００５７】
副走査部機構・駆動部５０は、図２、図３、図１８及び図１９に示すように、放射線画像変換プレート１２に対面する方向のガイド軸５００とボールねじ５０１が平行に配置されている。ガイド軸５００が上方に位置し、ボールねじ５０１が下方に位置し、このガイド軸５００とボールねじ５０１により主走査部５１が縦に保持され、水平に移動可能になっている。
【００５８】
ボールねじ５０１にはダイレクトドライブモータ５０２が設けられ、ダイレクトドライブモータ５０２の駆動によりボールねじ５０１が回転して主走査部５１を副走査方向へ移動させる。
【００５９】
(2) 主走査
主走査部５１は、図１８及び図１９に示すように、レーザビーム発生部５１０、ポリゴンミラー５１１、集光体５１２を構成するfθレンズ、反射鏡５１３、受光部５１４等を一体的に構成してある。レーザビーム発生部５１０は、光源としてガスレーザ．固体レーザ、半導体レーザ等を有する。レーザビーム発生部５１０は励起光として射出強度が制御されたレーザビームを発生する。
【００６０】
レーザビームは光学系を経由してポリゴンミラー５１１に到達して、そこで偏向を受けて、集光体５１２を構成するｆθレンズで集光させて、反射鏡５１３で光路を偏向させて放射線画像交換プレート１２に輝尽励起用の走査光として導かれる。上記レーザビームで走査された放射線画像変換プレート１２が発する輝尽発光を受光部５１４で受光して画像の読取を行う。受光部５１４には、長尺フオトマルチプライヤ５１４ａと平板集光体５１４ｂを用いて構成されている。
【００６１】
長尺フオトマルチプライヤ５１４ａに入射して、その入射光に対応した電気信号に光電変換される。即ち輝尽発光は、平板集光体５１４ｂを経て長尺フオトマルチプライヤ５１４ａに入射して光電変換されるので、放射線画像に対応した出力電流が得られる。長尺フオトマルチプライヤ５１４ａからの出力電流は、図示しない電流／電圧交換器で電圧信号に変換され、図示しない増幅器で増幅された後、Ａ／Ｄ変換器でデジタル画像信号に変換される。そして、デジタル画像信号は、画像処理回路に順次出力され、ここで階調処理等の各種画像処理を施されたのちに、画像ディスクにそのまま記憶されたり、又は、CRT７０によって可視化されたりする。
【００６２】
読取部制御画像入力制御部６１には、ポリゴンミラー５１１からの各種同期信号、及び副走査の開始位置を検出するフォトセンサ(図示せず)からの原点位置検出信号などが入力されるようになっており、ポリゴンミラー５１１による主走査に同期させつつ開始位置から主走査部５１を副走査方向に所定速度で移動させる。
【００６３】
この実施の形態では、放射線画像変換プレート１２へ照射する入射角は、放射線画像変換プレート１２のプレート面に対して5°の略垂直入射方式を採用している。
【００６４】
5. 読取サイクルタイム(フィード/ロードタイム)及び処理能力
この放射線画像記録読取装置１のフィード/ロードタイムは、カセッテ９をカセッテスタッカ部３に投入し、読取開始から抜き取り可能となるまでの時間で定義する(175μm読取)。スリープモード時は、約10秒が加算される。また、放射線画像変換プレート１２上の最大到達線量が20mRを越える場合には最大18秒加算される。
【００６５】
この放射線画像記録読取装置１の処理能力は、投入部３００の１番から順番にカセッテ９を連続して投入する場合の１時間当たりの処理枚数で定義し、下記のようになっている。
【００６６】
【表２】
0003843559.tif 000003
【００６７】
6. 画像読取
この放射線画像記録読取装置１の画像読取部５での画像読取について詳細に説明する。
【００６８】
(1) マトリクスサイズ、読取り領域
各カセッテにおける読取り領域とマトリクスサイズを表３に示す。
【００６９】
【表３】
0003843559.tif 000004
【００７０】
(2) 撮影感度
画像読取部５での撮影感度は、以下の３段階の撮影感度を各部位毎に設定可能である。
【００７１】
即ち、撮影感度は、低感度(s=50〜200相当)、標準(s=200〜1000相当)、高感度(s=1000〜5000相当)であり、s値の定義は、2.58×10-7CKg(１mR)のX線照射に対して1535のディジタル値が出力されるときのPMT感度をs=200とし、それを基準としたフォトマルチチューブ(PMT)感度を相対的に表した値である。
【００７２】
(3) グリッドモアレ除去
カセッテ上下マークにより指定された方向にグリッドを配置した場合モアレを除去することが可能であり、使用グリッドとして、例えば34,40,60,80本/cmを用いる。
【００７３】
(4) ムラ補正
画像読取部５での補正内容としては、装置主走査方向ムラ(S)、縦方向ムラ(F)、ポリゴンムラ(P)があり、これらの補正を行う。
【００７４】
補正データとしては、各補正内容についてのパラメータを87.5/175μmの2通りにてデータを保持する。
7. システム制御部
システム制御部６には、メインCPU６０及び読取部制御画像入力制御部６１が備えられ、以下のように構成される。
【００７５】
(1) システム制御ユニット
システム制御ユニットでは、モアレ除去・各種補正を行う。また、画像制御基板(ICU)との画像転送に用いる。XGA-24ビットカラー画像表示が可能である。
【００７６】
ハードディスクとして、システムプログラムを記憶したシステム用ディスク６２、画像情報を記憶する画像ディスク６３,６４が接続される。
画像データ出力は、ユーザ設定によりホストコンピュータ出力優先かハードコピー優先かを切り替え可能である。
【００７７】
(2) 画像処理
システム制御ユニットのソフトウエアで以下の処理を行う。階調処理として、撮影メニューに基づき、部位毎のアルゴリズムを設定する。自動では、ROI設定及びヒストグラム解析によりLUT回転・シフトを行う。また、手動としては、固定LUTによる階調処理を行う。
【００７８】
周波数処理は、周波数強調を行う。また、イコライゼーションは、画像信号のダイナミックレンジを圧縮する。分割撮影対応としては、2分割(縦・横)、4分割撮影に対応している。アルゴリズムとしては、所定の1分割に対して処理条件を決定し、画像全体に適用する。画像の扱いとしては、1画像として扱う。
【００７９】
照射野確認は、任意の多角形の照射野を自動確認する。ただし、胸部正面、胸部側面、腹部単純、骨盤正面等は画像端に平行な矩形に限定する。
画像方向判定は、人体の頭尾方向が画像の縦/横のいずれに相当するか自動判定する。ただし、胸部正面、小児胸部正面、腹部単純、骨盤正面のみ適用可能であるが、これらに限定されない。
【００８０】
(3) 画像データ保存
画像ディスク６３,６４のハードディスクを保存可能である。
(4) 患者登録
患者の入力方式としては、CRT７０上に表示された五十音表により入力可能であり、使用可能な文字種は、例えばカタカナ及び英数字である。また、ID番号により自動入力することもできる。さらに、患者登録ターミナルから漢字入力も可能である。
【００８１】
患者登録の単位は、検査単位で行う。例えば、1検査当たり24撮影まで可能である。また、予約検査数は、例えば最大100検査まで可能である。
上記構成の放射線画像記録読取装置によれば、操作・表示部７と、カセッテスタッカ部３とを略水平方向に並設したことにより、カセッテスタッカ部３へカセッテ９をセットした後、操作・表示部で画像を確認する場合、視線の移動量が少なくて済むので、操作性が良い。
【００８２】
又、操作・表示部７のCRT７０の表示画面上に、タッチパネル７１を設けたことにより、装置の操作をCRT７０の表示画面上で行なうことができ、カセッテスタッカ部３へカセッテ９をセットした後、装置の操作を行なう場合、視線の移動量が少なくて済むので、操作性が良好である。
【００８３】
更に、タッチパネル７１は、光の遮断で反応する光方式とした。表示画面上に膜を設置する必要がある抵抗膜方式、アナログ容量結合方式等に比べ、表示画面上に膜が不要となるので、表示画面の透過性が優れる。
【００８４】
又、更に、カセッテスタッカ部３にセットされるカセッテ９は、装置の手前側を基準としてセットされることにより、小サイズのカセッテのセット、及び、取出しが容易となり、操作性が良い。
【００８５】
【発明の効果】
以上述べたように、請求項１記載の発明によれば、表示部と、カセッテスタッカ部とを略水平方向に並設したことにより、カセッテスタッカ部へカセッテをセットした後、表示部で画像を確認する場合、視線の移動量が少なくて済むので、操作性が良好となる。
【００８６】
請求項２記載の発明によれば、表示部の表示画面にタッチパネルを設けたことにより、装置の操作を表示画面上で行なうことができるので、カセッテスタッカ部へカセッテをセットした後、装置の操作を行なう場合、視線の移動量が少なくて済み、操作性が良好となる。
【００８７】
請求項３記載の発明によれば、タッチパネルを光の遮断で反応する光方式としたことにより、表示画面上に膜を設置する必要がある抵抗膜方式、アナログ容量結合方式等に比べ、表示画面上に膜が不要となるので、表示画面の透過性が優れる。
【００８８】
請求項４記載の発明によれば、カセッテを装置の手前側を基準としてセットすることにより、小サイズのカセッテのセット、及び、取出しが容易となり、操作性が良好となる。
【図面の簡単な説明】
【図１】放射線画像記録読取装置の斜視図でカセッテがセットされていない状態を示す図である。
【図２】カセッテがセットされた状態の放射線画像記録読取装置の正面図である。
【図３】図２における左側面図である。
【図４】図２における放射線画像記録読取装置の右側面図である。
【図５】放射線画像記録読取装置の概略構成を示す図である。
【図６】放射線画像記録読取装置の制御ブロック図である。
【図７】カセッテに放射線画像変換プレートを収納した状態を示す斜視図である。
【図８】カセッテから放射線画像変換プレートを引き出した状態を示す斜視図である。
【図９】カセッテの平面図である。
【図１０】カセッテに放射線画像変換プレートを収納した状態を示す平面図である。
【図１１】カセッテの側面図である。
【図１２】図９の切断線C-Cにおける断面図である。
【図１３】図９の切断線D-Dにおける断面図である。
【図１４】図９の切断線E-Eにおける断面図である。
【図１５】プレート搬送部の構成を示す正面図である。
【図１６】図１５におけるカセッテクリンチの側面図である。
【図１７】カセッテクリンチの平面図である。
【図１８】副走査部の側面図である。
【図１９】画像読取部の光学系を示す図である。
【図２０】従来の放射線画像記録読取装置の正面構成図である。
【図２１】図２０における右側面構成図である。
【図２２】図２０におけるカセッテスタッカ部を上方より見た時の構成図である。
【符号の説明】
３  カセッテスタッカ部
７  表示・操作部
９  カセッテ
７０  CRT(表示部)
７１  タッチパネル(操作部)
【図１】
0003843559.tif 000005
【図２】
0003843559.tif 000006
【図３】
0003843559.tif 000007
【図４】
0003843559.tif 000008
【図５】
0003843559.tif 000009
【図６】
0003843559.tif 000010
【図７】
0003843559.tif 000011
【図８】
0003843559.tif 000012
【図９】
0003843559.tif 000013
【図１０】
0003843559.tif 000014
【図１１】
0003843559.tif 000015
【図１２】
0003843559.tif 000016
【図１３】
0003843559.tif 000017
【図１４】
0003843559.tif 000018
【図１５】
0003843559.tif 000019
【図１６】
0003843559.tif 000020
【図１７】
0003843559.tif 000021
【図１８】
0003843559.tif 000022
【図１９】
0003843559.tif 000023
【図２０】
0003843559.tif 000024
【図２１】
0003843559.tif 000025
【図２２】
0003843559.tif 000026